(57)【要約】【課題】眼鏡装用者に適した眼鏡レンズを設計すること。【解決手段】眼鏡レンズ設計方法は、遠方視状態である眼鏡装用者を撮像する工程と、近方視状態である上記眼鏡装用者を撮像する工程と、遠方視状態で撮像された遠方視画像に基づいて、遠方視状態における眼の位置に関連する遠方視パラメータを計測する工程と、近方視状態で撮像された近方視画像に基づいて、近方作業距離を計測する工程と、遠方視パラメータと、近方作業距離と、眼鏡装用者の眼鏡処方値とを用いた光線追跡計算によって、眼鏡レンズを設計する設計工程と、を有する。【選択図】図７
2014112154.tif 000002
【特許請求の範囲】
【請求項１】
遠方視状態である眼鏡装用者を撮像手段により撮像する遠方視画像撮像工程と、
近方視状態である前記眼鏡装用者を撮像手段により撮像する近方視画像撮像工程と、
前記遠方視画像撮像工程により撮像された遠方視画像に基づいて、遠方視状態における眼の位置に関連する遠方視パラメータを計測する遠方視パラメータ計測工程と、
前記近方視画像撮像工程により撮像された近方視画像に基づいて、近方視状態における前記眼鏡装用者から前記眼鏡装用者の注視点までの距離である近方作業距離を計測する近方作業距離計測工程と、
前記遠方視パラメータ計測工程により計測した遠方視パラメータと、前記近方作業距離計測工程により計測した近方作業距離と、前記眼鏡装用者の眼鏡処方値とを用いた光線追跡計算によって、眼鏡レンズを設計する設計工程と、
を有することを特徴とする眼鏡レンズ設計方法。
【請求項２】
請求項１に記載の眼鏡レンズ設計方法において、
前記設計工程では、前記光線追跡計算によって、前記眼鏡装用者の左右の視線がそれぞれ左右の眼鏡レンズを透過する透過位置を算出し、前記左右の眼鏡レンズにおいて、前記透過位置でのレンズ特性に類似性を持たせるように設計することを特徴とする眼鏡レンズ設計方法。
【請求項３】
請求項１または２に記載の眼鏡レンズ設計方法において、
前記遠方視パラメータは、遠方視状態での瞳孔間距離、片眼瞳孔間距離、および瞳孔の高さの少なくとも１つであることを特徴とする眼鏡レンズ設計方法。
【請求項４】
請求項１〜３のいずれか一項に記載の眼鏡レンズ設計方法において、
前記眼鏡処方値は、球面度数、乱視度数、乱視軸度および加入度の少なくとも１つであることを特徴とする眼鏡レンズ設計方法。
【請求項５】
請求項１〜４のいずれか一項に記載の眼鏡レンズ設計方法において、
前記眼鏡装用者は、前記遠方視撮像工程および前記近方視撮像工程において撮像される際、度数が入っていない眼鏡を装用した状態であることを特徴とする眼鏡レンズ設計方法。
【請求項６】
請求項１〜５のいずれか一項に記載の眼鏡レンズ設計方法により設計された眼鏡レンズを製造することを特徴とする眼鏡レンズ製造方法。
【請求項７】
請求項１〜５のいずれか一項に記載の眼鏡レンズ設計方法により設計されたことを特徴とする眼鏡レンズ。
【発明の詳細な説明】
【技術分野】
【０００１】
本発明は、眼鏡レンズ設計方法、眼鏡レンズ製造方法および眼鏡レンズに関する。
【背景技術】
【０００２】
レンズの上方に位置し遠景に対応する屈折力を有する領域である遠用部と、レンズの下方に位置し近景に対応する屈折力を有する領域である近用部とを備える累進屈折力レンズが知られている。
【０００３】
眼鏡装用者に適した累進屈折力レンズを設計するために、例えば、遠方視状態での瞳孔間距離、近方視状態での瞳孔間距離、角膜頂点距離、前傾角、そり角などのパラメータが用いられている。これらのパラメータを測定する装置としては、例えば、眼鏡装用者を撮像した画像を用いて測定する測定装置が知られている（特許文献１参照）。
【先行技術文献】
【特許文献】
【０００４】
【特許文献１】特開２００７−９３６３６号公報
【発明の概要】
【発明が解決しようとする課題】
【０００５】
眼鏡店において、例えば、顧客が新しい眼鏡を購入する際には、顧客が選択した新しい眼鏡フレームを顧客が装用して、上記パラメータの測定を行う。この場合、上記選択した眼鏡フレームには、度数が入っていないダミーレンズが装着された状態である。しかしながら、顧客が実際に眼鏡を使用する際には、上記選択した眼鏡フレームに顧客の眼鏡処方値に応じた度数の入った眼鏡レンズが装着される。そのため、従来技術の測定装置において、近方視状態での瞳孔間距離など、近方視状態における眼の位置に関連するパラメータに関しては、眼鏡レンズのプリズム作用によって、測定値と実際の眼鏡使用時における値とが異なってしまう。したがって、この測定値を用いて眼鏡レンズを設計すると、眼鏡装用者に適した眼鏡レンズを設計できない可能性があった。
【課題を解決するための手段】
【０００６】
（１）請求項１に記載の発明による眼鏡レンズ設計方法は、遠方視状態である眼鏡装用者を撮像手段により撮像する遠方視画像撮像工程と、近方視状態である眼鏡装用者を撮像手段により撮像する近方視画像撮像工程と、遠方視画像撮像工程により撮像された遠方視画像に基づいて、遠方視状態における眼の位置に関連する遠方視パラメータを計測する遠方視パラメータ計測工程と、近方視画像撮像工程により撮像された近方視画像に基づいて、近方視状態における眼鏡装用者から眼鏡装用者の注視点までの距離である近方作業距離を計測する近方作業距離計測工程と、遠方視パラメータ計測工程により計測した遠方視パラメータと、近方作業距離計測工程により計測した近方作業距離と、眼鏡装用者の眼鏡処方値とを用いた光線追跡計算によって、眼鏡レンズを設計する設計工程と、を有することを特徴とする。
（２）請求項６に記載の発明による眼鏡レンズ製造方法は、請求項１〜５のいずれか一項に記載の眼鏡レンズ設計方法により設計された眼鏡レンズを製造することを特徴とする。
（３）請求項７に記載の発明による眼鏡レンズは、請求項１〜５のいずれか一項に記載の眼鏡レンズ設計方法により設計されたことを特徴とする。
【発明の効果】
【０００７】
本発明によれば、眼鏡装用者に適した眼鏡レンズを設計することができる。
【図面の簡単な説明】
【０００８】
【図１】パラメータ測定装置の構成を説明する図である。
【図２】遠方視状態の眼鏡装用者を説明する図である。
【図３】近方視状態の眼鏡装用者を説明する図である。
【図４】フィッティングパラメータを説明する図である。
【図５】フィッティングパラメータを説明する図である。
【図６】眼鏡レンズの度数に応じたインセット量の変化を説明する図である。
【図７】眼鏡を提供する一連の手順を説明するフローチャートである。
【図８】フィッティング高さを説明する図である。
【図９】眼鏡装用者が近くの点を注視する場合の光線の関係を模式的に説明する図である。
【発明を実施するための形態】
【０００９】
以下、図面を参照して、本発明の一実施の形態について説明する。図１は、眼鏡装用者が眼鏡を装用した状態において各種パラメータ（以下、フィッティングパラメータと呼ぶ）を測定するためのパラメータ測定装置１の構成を説明する図である。パラメータ測定装置１は、本体装置１０と、本体コンピュータ２０と、タブレット型コンピュータ３０と、タッチパネル式ディスプレイ４０と、を有する。
【００１０】
本体装置１０は、縦長の筐体１１を有しており、筐体１１の表面には、ミラー１２が設けられている。本体装置１０の筐体１１の内部には、眼鏡装用者が遠方視した状態を撮像するための遠方視用カメラ１３や、眼鏡装用者を照明するための光源（不図示）などが設けられている。遠方視用カメラ１３は、上側に配置された上側カメラ１３Ｔおよび下側に配置された下側カメラ１３Ｄから構成される。本体装置１０は、本体コンピュータ２０と接続されており、遠方視用カメラ１３により撮像された画像を本体コンピュータ２０に出力する。
【００１１】
タブレット型コンピュータ３０は、眼鏡装用者が手で持つことが可能な携帯型のコンピュータである。タブレット型コンピュータ３０には、眼鏡装用者が近方視した状態を撮影するための近方視用カメラ３１や、タッチパネル式ディスプレイ３２などが設けられている。タブレット型コンピュータ３０は、近方視用カメラ３１により撮像された画像を、例えば無線通信によって、本体コンピュータ２０に送信する。
【００１２】
本体コンピュータ２０には、演算処理を行うＣＰＵ等の演算部や、各種データを記憶する記憶部などが設けられている。記憶部には、フィッティングパラメータの測定処理を実行するためのプログラムが記憶されており、演算部は、記憶部に記憶されたプログラムを実行することにより、フィッティングパラメータの測定処理を行う。
【００１３】
タッチパネル式ディスプレイ４０は、本体コンピュータ２０と接続されており、本体コンピュータ２０から出力される各種情報（例えば、遠方視用カメラ１３および近方視用カメラ３１による撮像画像や、フィッティングパラメータの測定結果など）を表示する。また、測定者は、タッチパネル式ディスプレイ４０に対するタッチ操作によって、本体コンピュータ２０を操作したり、各種情報を入力したりすることができる。
【００１４】
図２は、眼鏡装用者２が遠方視した状態を撮影する様子を説明する図である。図２に示すように、眼鏡装用者２が遠方視した状態を撮影する際には、眼鏡装用者２の正面に撮像装置１０を配置する。このとき、上側カメラ１３Ｔが眼鏡装用者２の眼鏡近傍を正面から撮像し、下側カメラ１３Ｄが眼鏡装用者２の眼鏡近傍を斜め下側から撮像するように、撮像装置１０を配置する。眼鏡装用者２は、例えば、撮像装置１０のミラー１２に写る自身の眼鏡のブリッジの中心をまっすぐ見るようにすることで、遠方視状態となる。この状態で、上側カメラ１３Ｔおよび下側カメラ１３Ｄにより、眼鏡装用者２を撮像する。なお、実際には、この状態であっても、多少眼が内側に寄った状態となるので、後述するフィッティングパラメータの計測処理において、遠方視用カメラ１３による撮像画像に基づいて得られた瞳孔間距離（ＰＤ）を、眼鏡装用者とミラー１２との距離を用いて補正する。
【００１５】
図３は、眼鏡装用者２が近方視した状態を撮影する様子を説明する図である。図３に示すように、眼鏡装用者２の近方視した状態を撮影する際には、近方視用カメラ３１により眼鏡装用者２の眼鏡近傍が撮像できるよう、眼鏡装用者２はタブレット型コンピュータ３０を手に持つ。このとき、眼鏡装用者２は、例えば本を読むときや携帯端末を操作するときなどのように、自然な状態でタブレット型コンピュータ３０を手に持って見るようにすることで、近方視状態となる。この状態で、近方視用カメラ３１により眼鏡装用者２を撮像する。
【００１６】
本体コンピュータ２０は、遠方視用カメラ１３および近方視用カメラ３１により撮像された画像に基づいて、眼鏡装用者のフィッティングパラメータを計測する。まず、図４を用いて、遠方視用カメラ１３による撮像画像に基づいて計測するフィッティングパラメータについて説明する。なお、図４（ａ）は、眼鏡装用者を正面から見た図であり、図４（ｂ）は眼鏡装用者を側方から見た図であり、図４（ｃ）は、眼鏡装用者を上から見た図である。本体コンピュータ２０は、上側カメラ１３Ｔによる撮像画像に基づいて、遠方視状態での片眼瞳孔間距離（右眼遠方ＰＤおよび左眼遠方ＰＤ）を計測する。図４（ａ）に示すように、右眼遠方ＰＤ（ＲＦＰＤ）および左眼遠方ＰＤ（ＬＦＰＤ）は、遠方視状態における右眼または左眼の瞳孔中心から眼鏡３のブリッジの中心までの距離である。また、本体コンピュータ２０は、上側カメラ１３Ｔおよび下側カメラ１３Ｄによる撮像画像に基づいて、角膜頂点距離ＶＤ、前傾角ＴＩ、およびそり角ＷＲを計測する。角膜頂点距離ＶＤは、図４（ｂ）に示すように、眼鏡装用者の角膜の頂点から眼鏡レンズ内面までの距離である。前傾角ＴＩは、図４（ｂ）に示すように、鉛直方向に対する眼鏡レンズ面の角度である。そり角ＷＲは、図４（ｃ）に示すように、眼鏡３のブリッジに沿って水平な方向に対する眼鏡レンズ面の角度である。なお、本実施形態のパラメータ測定装置１では、上側カメラ１３Ｔおよび下側カメラ１３Ｄによって異なる２方向から眼鏡装用者を撮像することにより、角膜頂点距離ＶＤ、前傾角ＴＩ、およびそり角ＷＲの計測を可能としている。
【００１７】
次に、図５を用いて、近方視用カメラ３１による撮像画像に基づいて計測するフィッティングパラメータについて説明する。なお、図５（ａ）は、眼鏡装用者を正面から見た図であり、図５（ｂ）は眼鏡装用者を側方から見た図である。本体コンピュータ２０は、近方視用カメラ３１による撮像画像に基づいて、近方視状態での片眼瞳孔間距離（右眼近方ＰＤおよび左眼近方ＰＤ）および近方作業距離を計測する。図５（ａ）に示すように、右眼近方ＰＤ（ＲＮＰＤ）および左眼近方ＰＤ（ＬＮＰＤ）は、近方視状態における右眼または左眼の瞳孔中心から眼鏡３のブリッジの中心までの距離である。図５（ｂ）に示すように、近方作業距離ＮＤは、眼鏡装用者の眼から注視点（ここではタブレット型コンピュータ３０）までの距離である。
【００１８】
このようにして、パラメータ測定装置１では、眼鏡装用者の遠方視状態および近方視状態におけるフィッティングパラメータをそれぞれ実測する。なお、遠方視用カメラ１３および近方視用カメラ３１による撮像画像に基づいて上述したフィッティングパラメータを求める方法については、種々の方法を用いればよい。例えば、長さが既知である測定用治具を眼鏡フレームに装着した状態で遠方視状態および近方視状態の撮影を行う方法を用いるようにしてもよい。この方法では、まず、各フィッティングパラメータについて、撮像画像上での値を求める。そして、各フィッティングパラメータの撮像画像上での値を、撮像画像上における測定用治具の長さを基準として、実際の値に変換する。また、近方作業距離については、眼鏡フレームに装着した長さが既知である測定用治具が近方視用カメラ３１による撮像画像上に写った大きさに基づいて算出する。
【００１９】
ところで、眼鏡店において、例えば、顧客が新しく眼鏡を購入する際には、顧客が新しい眼鏡用の眼鏡フレームを選択すると、この眼鏡フレームを顧客が装用した状態で、上述したフィッティングパラメータを測定する。この際、上記選択した眼鏡フレームには、度数の入っていないダミーレンズが装着された状態で、フィッティングパラメータの測定が行われる。しかしながら、顧客が実際に眼鏡を使用する際には、上記選択した眼鏡フレームに顧客の眼鏡処方値に応じた度数の入った眼鏡レンズが装着される。そのため、右眼近方ＰＤおよび左眼近方ＰＤについては、眼鏡レンズのプリズム作用によって、測定時と実際の使用時における値が変わってしまう。
【００２０】
このことについて、図６を用いて説明する。なお、眼鏡レンズの度数が変わっても、右眼遠方ＰＤおよび左眼遠方ＰＤは変化しない。そのため、眼鏡レンズの度数が変わった場合において、右眼近方ＰＤの変化量と、右眼のインセット量（右眼遠方ＰＤから右眼近方ＰＤを引いた量）とは同じであり、左眼近方ＰＤの変化量と、左眼のインセット量（左眼遠方ＰＤから左眼近方ＰＤを引いた量）とは同じである。したがって、以下の説明では、図６を用いて、眼鏡レンズの度数に応じて、インセット量が変化する様子について説明する。なお、図６（ａ）は、眼鏡レンズＧＬがプラス度数である（凸レンズである）場合を示し、図６（ｂ）は、眼鏡レンズＧＬの度数がゼロである（プラノレンズである）場合を示し、図６（ｃ）は、眼鏡レンズＧＬがマイナス度数（凹レンズである）場合を示す。図６（ａ）〜（ｃ）において、眼鏡レンズＧＬの度数以外の条件（例えば、右眼遠方ＰＤおよび左眼遠方ＰＤ、近方作業距離など）は同じであるとする。
【００２１】
図６（ａ）および図６（ｂ）を比較してわかるように、眼鏡レンズＧＬがプラス度数である場合、物体からの光線Ｌ１は、眼鏡レンズＧＬのプリズム作用により屈折されることで、眼鏡レンズＧＬ上において、眼鏡レンズＧＬの度数がゼロである場合の物体からの光線Ｌ２が透過する点よりも、内側（鼻側）の点を透過する。このため、眼鏡レンズＧＬがプラス度数である場合、度数がゼロである場合に比べて、インセット量が大きくなる。
【００２２】
また、図６（ｂ）および図６（ｃ）を比較してわかるように、眼鏡レンズＧＬがマイナス度数である場合、物体からの光線Ｌ３は、眼鏡レンズＧＬのプリズム作用により屈折されることで、眼鏡レンズＧＬ上において、眼鏡レンズＧＬの度数がゼロである場合の物体からの光線Ｌ２が透過する点よりも、外側（耳側）の点を透過する。このため、眼鏡レンズＧＬがマイナス度数である場合、度数がゼロである場合に比べて、インセット量が小さくなる。
【００２３】
以上のように、眼鏡装用者が、度数の入っていないダミーレンズが装着された眼鏡を装用した場合と、度数の入った眼鏡レンズが装着された眼鏡を装用した場合とでは、近方ＰＤおよびインセット量が異なってしまう。そこで、本実施形態において、眼鏡レンズを設計する際には、眼鏡レンズの度数が異なっても変化しないパラメータ（右眼遠方ＰＤ、左眼遠方ＰＤ、角膜頂点距離、前傾角、そり角、近方作業距離）については、パラメータ測定装置１による測定結果をそのまま使用する。一方、眼鏡レンズの度数が異なると変化するパラメータ（右眼近方ＰＤ、左眼近方ＰＤ）については、度数の入った眼鏡レンズが装着された眼鏡を眼鏡装用者が装用した状態での値を、光線追跡計算によって算出する。
【００２４】
この光線追跡計算では、近方の物体（眼鏡装用者の注視点）から発して眼鏡レンズに入射し、眼鏡装用者の眼球の回旋中心に至る光線を求める。ここで、眼鏡レンズの度数としては、眼鏡装用者における眼鏡レンズの処方値（球面度数（Ｓ度数）、乱視度数（Ｃ度数）、乱視軸度、加入度など）を用いる。また、眼鏡レンズと眼鏡装用者の眼球との位置関係を表すパラメータとしては、パラメータ測定装置１により測定された右眼遠方ＰＤ、左眼遠方ＰＤ、角膜頂点距離ＶＤ、前傾角ＴＩ、およびそり角ＷＲを用いる。さらに、眼鏡装用者と注視点との距離としては、パラメータ測定装置１により測定された近方作業距離ＮＤを用いる。
【００２５】
このように、眼鏡装用者における眼鏡レンズの処方値と、パラメータ測定装置１により測定されたフィッティングパラメータとを用いて光線追跡計算を行って、眼鏡装用者の処方値に応じた度数の入った眼鏡レンズを装用した場合における右眼近方ＰＤおよび左眼近方ＰＤを算出する。
【００２６】
次に、本実施形態において、顧客に眼鏡を提供する一連の手順について、図７に示すフローチャートを用いて説明する。なお、図７の左側には眼鏡店において行う手順を示し、図７の右側にはレンズメーカにおいて行う手順を示す。ステップＳ１０において、顧客は、眼鏡店において、購入する眼鏡フレームを決定する。
【００２７】
ステップＳ１１において、ステップＳ１０で決定した眼鏡フレームに装着する眼鏡レンズの処方値（例えば、球面度数（Ｓ度数）、乱視度数（Ｃ度数）、乱視軸度、加入度など）を決定する。眼鏡レンズの処方値は、顧客に対して、眼科医により発行された処方箋や、眼鏡店で行われた視力チェックなどに基づいて決定される。眼鏡店の店員は、この眼鏡レンズの処方値を、タッチパネル式ディスプレイ４０を介して、パラメータ測定装置１に入力する。
【００２８】
ステップＳ１２において、ステップＳ１０で決定した眼鏡フレームに度数の入っていないダミーレンズが装着された眼鏡を顧客が装用した状態で、パラメータ測定装置１により、フィッティングパラメータの測定を行う。
【００２９】
具体的には、上述したように、パラメータ測定装置１は、遠方視用カメラ１３によって遠方視状態の顧客（眼鏡装用者）を撮像する。また、パラメータ測定装置１は、近方視用カメラ３１によって近方視状態の顧客（眼鏡装用者）を撮像する。そして、パラメータ測定装置１の本体コンピュータ２０は、遠方視用カメラ１３および近方視用カメラ３１による撮像画像に基づいて、フィッティングパラメータを計測する。
【００３０】
ステップＳ１３において、眼鏡店の店員は、ステップＳ１０で決定した眼鏡フレームの情報、ステップＳ１１で決定した眼鏡レンズの処方値、およびステップＳ１２でパラメータ測定装置１により測定したフィッティングパラメータなどを含む眼鏡レンズの発注情報を、眼鏡店に設置された発注用コンピュータ（不図示）に入力する。発注用コンピュータは、入力された発注情報を、インターネットなどのネットワークを介して、レンズメーカに設置された受注用コンピュータ（不図示）に送信する。
【００３１】
ステップＳ２０において、レンズメーカでは、受注用コンピュータが、眼鏡店の発注用コンピュータからの眼鏡レンズの発注情報を受信する。ステップＳ２１において、受注用コンピュータは、受信した眼鏡レンズの発注情報に基づいて眼鏡レンズの設計を行う。
【００３２】
具体的に、受注用コンピュータは、上記受信した眼鏡レンズの発注情報に含まれる眼鏡レンズの処方値、パラメータ測定装置１により測定された右眼遠方ＰＤ、左眼遠方ＰＤ、角膜頂点距離ＶＤ、前傾角ＴＩ、そり角ＷＲおよび近方作業距離を用いて、上述した光線追跡計算を行い、右眼近方ＰＤおよび左眼近方ＰＤを算出する。
【００３３】
そして、例えば、累進屈折力レンズを設計する際、レンズメーカの設計者は、パラメータ測定装置１により測定された（すなわち発注情報に含まれる）右眼遠方ＰＤおよび左眼遠方ＰＤに基づいて、累進屈折力レンズにおける遠用のアイポイントを設定する。また、レンズメーカの設計者は、上記光線追跡計算により算出された右眼近方ＰＤおよび左眼近方ＰＤに基づいて、累進屈折力レンズにおける近用のアイポイントを設定する。
【００３４】
ステップＳ２２において、受注用コンピュータは、ステップＳ２１で設計した眼鏡レンズの設計データを、加工機制御装置（不図示）に出力する。加工機制御装置は、この設計データに基づいて、眼鏡レンズ加工機（不図示）に加工指示を送る。この結果、眼鏡レンズ加工機によって、当該設計データに基づく眼鏡レンズが加工され、製造される。そして、眼鏡レンズ加工機によって製造された眼鏡レンズが眼鏡店に出荷される。ステップＳ１４において、眼鏡店では、ステップＳ２２で製造された眼鏡レンズを、ステップＳ１０で決定された眼鏡フレームに枠入れして眼鏡を完成し、顧客に提供する。
【００３５】
以上説明した実施の形態によれば、次の作用効果が得られる。
本実施形態における眼鏡レンズ設計方法は、遠方視状態である眼鏡装用者を遠方視用カメラ１３により撮像する工程と、近方視状態である眼鏡装用者を近方視用カメラ３１により撮像する工程と、遠方視用カメラ１３により撮像された画像に基づいて、右眼遠方ＰＤ、左眼遠方ＰＤ、角膜頂点距離、前傾角およびそり角を計測する工程と、近方視用カメラ３１により撮像された画像に基づいて近方作業距離を計測する工程と、右眼遠方ＰＤ、左眼遠方ＰＤ、角膜頂点距離、前傾角およびそり角と、近方作業距離と、眼鏡装用者の眼鏡処方値とを用いた光線追跡計算によって、右眼近方ＰＤおよび左眼近方ＰＤを算出する工程と、眼鏡装用者の眼鏡処方値と、上記計測した右眼遠方ＰＤ、左眼遠方ＰＤ、角膜頂点距離、前傾角およびそり角と、上記算出した右眼近方ＰＤおよび左眼近方ＰＤとを用いて、眼鏡レンズを設計する設計工程と、を有する。これにより、実際に使用する眼鏡を眼鏡装用者が装用した状態における右眼近方ＰＤおよび左眼近方ＰＤを用いて眼鏡レンズを設計することができるので、眼鏡装用者に適した眼鏡レンズを設計することができる。
【００３６】
（変形例１）
さらに、眼鏡レンズに対する瞳孔中心の高さ（以下、フィッティング高さと呼ぶ）を用いて眼鏡レンズを設計するようにしてもよい。フィッティング高さ（ＦＨ、ＮＨ）は、図８に示すように、例えば、瞳孔中心から眼鏡レンズＧＬの下辺までの距離である。
【００３７】
また、図８（ｂ）に示すように近方視状態の場合には、図８（ａ）に示す遠方視状態よりも瞳孔が下側に寄るため、近方視状態のフィッティング高さＮＨは、遠方視状態のフィッティング高さＦＨよりも低くなる。また、近方視状態のフィッティング高さＮＨは、眼鏡レンズのプリズム作用により、眼鏡レンズの度数によって異なる。そのため、変形例１の場合には、角膜頂点距離、前傾角およびそり角に加え、遠方視状態のフィッティング高さＦＨをパラメータ測定装置１によって計測し、計測した角膜頂点距離、前傾角、そり角および遠方視状態のフィッティング高さＦＨと、眼鏡装用者の処方値とを用いた光線追跡計算によって、近方視状態のフィッティング高さＮＨを算出する。
【００３８】
このように、本発明は、眼鏡装用者の遠方視状態および近方視状態における眼の位置に関連するパラメータ（例えば、両眼の瞳孔間距離、片目瞳孔間距離、インセット量およびフィッティング高さなど）を用いて、眼鏡レンズを設計する際に適用することができる。
【００３９】
（変形例２）
図９は、左右の眼鏡レンズの度数が異なる場合における、眼鏡装用者が近くの点Ａを注視する場合の光線の関係を模式的に説明する図である。図９の光線ＬＲは、点Ａから発して右の眼鏡レンズＧＬに入射し、眼球（右眼）Ｅｙの回旋中心Ｏに至る光線を示す。図９の光線ＬＬは、点Ａから発して左の眼鏡レンズＧＬに入射し、眼球（左眼）Ｅｙの回旋中心Ｏに至る光線を示す。図９では、左の眼鏡レンズよりも右の眼鏡レンズの方がマイナスの度数が高い（屈折力が高い）場合を示している。そのため、眼鏡レンズにおいて、光線ＬＬよりも光線ＬＲの方がより屈折されており、右眼の視線（光線ＬＲ）が透過する透過点Ｂは、左眼の視線（光線ＬＬ）が透過する透過点Ｃの位置よりも高い位置となっている。
【００４０】
ここで、左右の眼で同一の点Ａを注視する際に、左右の眼鏡レンズにおいて、左眼の視線の透過点Ｂと右眼の視線の透過点Ｃとでレンズ特性（加入度数をはじめ、非点収差、ディストーションなど）が異なると、左右の眼で同一の像が形成されず、眼鏡装用者に違和感を与えてしまう。そのため、左の眼鏡レンズの透過点Ｂと、右の眼鏡レンズの透過点Ｃとで、レンズ特性に類似性を持たせる方が好ましい。
【００４１】
そこで、上述したステップＳ２１において眼鏡レンズを設計する際には、上述した光線追跡計算において、近方視状態において、左右の視線が左右の眼鏡レンズをそれぞれ透過する透過位置を算出する。そして、左右の眼鏡レンズにおいて、上記算出した透過位置でのレンズ特性に類似性を持たせるように設計する。これにより、左右の眼鏡レンズの度数が異なる場合であっても、眼鏡装用者にとって快適な眼鏡レンズを設計することができる。
【００４２】
（変形例３）
なお、眼鏡装用者が眼鏡レンズの装着されていない眼鏡フレームを装用した状態でパラメータ測定装置１による測定を行うようにしてもよい。この場合も、上述した実施の形態と同様にして、右眼近方ＰＤおよび左眼近方ＰＤを光線追跡計算により算出することができる。また、眼鏡装用者が任意の度数が入った眼鏡レンズが装着された眼鏡を装用した状態でパラメータ測定装置１による測定を行うようにしてもよい。この場合、測定時に装用した眼鏡の度数と眼鏡装用者の処方値とに基づいて、右眼近方ＰＤおよび左眼近方ＰＤを光線追跡計算により算出する。
【００４３】
以上の説明はあくまで一例であり、上記の実施形態の構成に何ら限定されるものではない。また、上記実施形態に各変形例の構成を適宜組み合わせてもかまわない。
【符号の説明】
【００４４】
１…パラメータ測定装置、１３…遠方視用カメラ、２０…本体コンピュータ、３１…近方視用カメラ、４０…タッチパネル式ディスプレイ
【図１】
2014112154.tif 000003
【図２】
2014112154.tif 000004
【図３】
2014112154.tif 000005
【図４】
2014112154.tif 000006
【図５】
2014112154.tif 000007
【図６】
2014112154.tif 000008
【図７】
2014112154.tif 000009
【図８】
2014112154.tif 000010
【図９】
2014112154.tif 000011